(57)【要約】【課題】ヘッドマウントディスプレイに好適に用いられる表示装置の消費電力の削減を図る。【解決手段】表示装置（１００）は、表示部４に設けられた複数の画素（Ｐ）に画素信号を選択的に供給するように表示部（４）を駆動するソースドライバ（５）およびゲートドライバ（６）を備える。表示部（４）は、表示する画像が視認者に視認できない画像非視認領域と、表示する画像が視認者に視認できる画像視認領域とを有する。ソースドライバ（５）およびゲートドライバ（６）は、前記画像非視認領域を駆動する駆動頻度を、前記画像視認領域を駆動する駆動頻度よりも低下させる。【選択図】図１
2019066770.tif 000002
【特許請求の範囲】
【請求項１】
表示部に設けられた複数の画素に画素信号を選択的に供給するように前記表示部を駆動する駆動回路を備え、
前記表示部は、表示する画像が視認者に視認できない画像非視認領域と、表示する画像が視認者に視認できる画像視認領域とを有し、
前記駆動回路は、前記画像非視認領域を駆動する駆動頻度を、前記画像視認領域を駆動する駆動頻度よりも低下させることを特徴とする表示駆動装置。
【請求項２】
前記駆動回路は、
前記表示部に設けられた、前記画素が接続された複数の信号線に前記画素信号を供給する信号供給回路であり、
前記画像非視認領域における複数の前記信号線に同じ前記画素信号を同時に供給し、前記画像視認領域における前記信号線に前記画像に応じた前記画素信号を個別に供給することを特徴とする請求項１に記載の表示駆動装置。
【請求項３】
前記信号供給回路は、
隣接する２つの前記信号線である第１信号線および第２信号線について、前記第１信号線に供給される前記画素信号を前記第２信号線にも供給する信号経路を有することを特徴とする請求項２に記載の表示駆動装置。
【請求項４】
前記駆動回路は、
前記表示部に設けられた、前記画素信号を供給する複数の信号線のそれぞれに接続された複数の前記画素のうち前記画素信号を与える前記画素を、各信号線に接続された前記画素が接続された選択線に選択信号を供給することにより選択する画素選択回路であり、
前記画像非視認領域における複数の前記選択線に接続された前記画素を同時に選択し、前記画像視認領域における各選択線に接続された前記画素を線順次に選択することを特徴とする請求項１から３のいずれか１項に記載の表示駆動装置。
【請求項５】
前記駆動回路は、
前記表示部に設けられた、前記画素信号を供給する複数の信号線のそれぞれに接続された複数の前記画素のうち前記画素信号を与える前記画素を、各信号線に接続された前記画素が接続された選択線に選択信号を供給することにより選択する画素選択回路であり、
前記画像非視認領域における複数の前記選択線に接続された前記画素を複数フレーム周期で選択せず、前記画像視認領域における各選択線に接続された前記画素を各フレームで選択することを特徴とする請求項１から３のいずれか１項に記載の表示駆動装置。
【請求項６】
請求項１から５のいずれか１項に記載の表示駆動装置と、
前記複数の画素を有する表示部とを備えていることを特徴とする表示装置。
【請求項７】
前記表示装置を視認者の頭部に装着させる装着部をさらに備え、
前記表示部は視認者によって視認される画像を表示することを特徴とする請求項６に記載の表示装置。
【発明の詳細な説明】
【技術分野】
【０００１】
本発明は、表示パネルを駆動する表示駆動装置に関する。
【背景技術】
【０００２】
アクティブマトリクス型の液晶表示装置は、複数のソースラインと、複数の走査線とを含む液晶表示パネルを備えている。また、このような液晶表示装置は、液晶表示パネルを駆動するために、走査線をゲートドライバによって順次選択し、選択した走査線に接続された複数の画素に、ソースドライバから供給されたソース信号をソースラインを通じて書き込む。
【０００３】
このような液晶表示装置は、その薄型かつ軽量という特徴から表示機能を有する携帯型の各種の機器に搭載されている。特許文献１には、例えば、ヘッドマウントディスプレイに好適に用いられる液晶表示装置が開示されている。また、特許文献１には、このようなヘッドマウントディスプレイに用いられる液晶表示装置においても高精細化が進められ、高精細化には、画素数の増加と、画素数の増加に伴う高駆動周波数化とが必要とされることが記載されている。
【先行技術文献】
【特許文献】
【０００４】
【特許文献１】特開２０００−２８５６号公報（２０００年１月７日公開）
【発明の概要】
【発明が解決しようとする課題】
【０００５】
ユーザがヘッドマウントディスプレイを装着した状態では、ユーザの目と液晶表示装置の表示画面との間の距離が短くなり、かつユーザの視線が表示画面に対してほとんど真正面に向けられる。また、人間の目が明瞭に見える視野は、水平方向で１２０°の範囲であり、鉛直方向で７０°の範囲である。このため、ユーザは、表示画面の端部（左右端部および上下端部）に表示される画像をほとんど視認することはできない。したがって、高精細の画像が表示画面に表示されていても、ユーザは、表示画面の端部に表示される画像が高精細であることを実感することができない。
【０００６】
一方、上記のように液晶表示装置の高精細化を進めるために駆動周波数を高めると、消費電力が増加する。また、ヘッドマウントディスプレイの無線化が進められると、電力を電池で供給する必要があることから、消費電力の削減が求められる。
【０００７】
しかしながら、上記のように、ユーザが視認できない部分にまで高精細の画像を表示させることは、消費電力の削減を図る上で障害となっていた。
【０００８】
本発明の一態様は、ヘッドマウントディスプレイに好適に用いられる表示装置の消費電力の削減を図ることを目的とする。
【課題を解決するための手段】
【０００９】
上記の課題を解決するために、本発明の一態様に係る表示駆動装置は、表示部に設けられた複数の画素に画素信号を選択的に供給するように前記表示部を駆動する駆動回路を備え、前記表示部が、表示する画像が視認者に視認できない画像非視認領域と、表示する画像が視認者に視認できる画像視認領域とを有し、前記駆動回路が、前記画像非視認領域を駆動する駆動頻度を、前記画像視認領域を駆動する駆動頻度よりも低下させる。
【発明の効果】
【００１０】
本発明の一態様によれば、ヘッドマウントディスプレイに好適に用いられる表示装置の消費電力の削減を図ることができるという効果を奏する。
【図面の簡単な説明】
【００１１】
【図１】本発明の実施形態１〜３に係るヘッドマウントディスプレイの外観構成を示す斜視図である。
【図２】本発明の実施形態１〜３に係る液晶表示装置の全体の構成を示すブロック図である。
【図３】上記液晶表示装置の画素の構成を示す回路図である。
【図４】上記液晶表示装置の液晶表示パネルに表示される画像を視認者が水平方向に視認できる第１視認領域と、当該画像を視認者が水平方向に視認できない左端側非視認領域および右端側非視認領域とを示す図である。
【図５】上記液晶表示装置の液晶表示パネルに表示される画像を視認者が鉛直方向に視認できる第２視認領域と、当該画像を視認者が鉛直方向に視認できない上端側非視認領域および下端側非視認領域とを示す図である。
【図６】（ａ）は本発明の実施形態１に係る液晶表示装置の液晶表示パネルにおける上記左端側非視認領域および上記右端側非視認領域にソース信号を供給する、ソースドライバの出力回路の構成を示す回路図であり、（ｂ）は上記液晶表示パネルにおける上記第１視認領域にソース信号を供給する上記ソースドライバの出力回路の構成を示す回路図である。
【図７】（ａ）は実施形態１の変形例に係る出力回路のあるフレームにおける状態を示す回路図であり、（ｂ）は当該出力回路の次のフレームにおける状態を示す回路図である。
【図８】本発明の実施形態２に係る液晶表示装置のゲートドライバの動作を示すタイミングチャートである。
【図９】実施形態２に係る比較例の一般的な液晶表示装置のゲートドライバの動作を示すタイミングチャートである。
【図１０】（ａ）は本発明の実施形態３に係る液晶表示装置のゲートドライバのあるフレームにおける動作を示すタイミングチャートであり、（ｂ）は当該ゲートドライバの上記フレームの次のフレームにおける動作を示すタイミングチャートである。
【発明を実施するための形態】
【００１２】
〔実施形態１〕
本発明の実施形態１について図１〜図７に基づいて説明すれば、以下の通りである。
【００１３】
まず、図１に基づいてヘッドマウントディスプレイ５００の構成について説明する。図１は、実施形態１〜３に係るヘッドマウントディスプレイ５００の外観構成を示す斜視図である。
【００１４】
図１に示すように、ヘッドマウントディスプレイ５００は、仮想現実画像、拡張現実画像などを表示する頭部装着型のディスプレイである。このヘッドマウントディスプレイ５００は、表示装置５０１と、固定バンド５０２（装着部）と、フレーム５０３とを備えている。
【００１５】
表示装置５０１は、フレーム５０３の前面に設けられており、画像を表示する。固定バンド５０２は、フレーム５０３をユーザ（視認者）の頭部に装着するためのバンドである。
【００１６】
続いて、図２および図３に基づいて液晶表示装置１００の構成について説明する。図２は液晶表示装置１００の全体の構成を示すブロック図である。図３は、液晶表示装置１００の画素の構成を示す回路図である。
【００１７】
図２に示すように、液晶表示装置１００（表示装置）は、液晶表示パネル１と、フレキシブル配線基板２と、制御回路３とを備えている。制御回路３は、フレキシブル配線基板２を介して液晶表示パネル１に接続されている。また、液晶表示装置１００は、ヘッドマウントディスプレイ５００において、表示装置５０１として設けられている。
【００１８】
液晶表示パネル１は、アクティブマトリクス型であり、図３に示す薄膜トランジスタ（ＴＦＴ）Ｔによって液晶分子の姿勢を制御する。この液晶表示パネル１は、表示部４と、ソースドライバ５と、ゲートドライバ６とを有している。
【００１９】
表示部４、ソースドライバ５（駆動回路、信号供給回路）およびゲートドライバ６（駆動回路、画素選択回路）は、アクティブマトリクス基板１ａ上に形成されている。表示部４は、このアクティブマトリクス基板１ａと対向基板（図示せず）との間に液晶を挟持して構成されており、行列状に配列された多数の画素Ｐを有している。また、アクティブマトリクス基板１ａ上には、複数のソースラインＳＬ（ＳＬｍ，ＳＬｍ＋１，…）と、複数のゲートラインＧＬ（ＧＬｎ，ＧＬｎ＋１，…）とが互いに交差するように形成されている。ソースドライバ５は、集積化されたドライバチップによって構成されており、アクティブマトリクス基板１ａ上にＣＯＧ（Chip On Glass）の形態で実装される。ゲートドライバ６は、アクティブマトリクス基板１ａ上に形成されたＴＦＴ素子によって構成されている。
【００２０】
図３に示すように、ソースラインＳＬ（信号線）は、列方向（縦方向）に互いに平行となるように形成されており、ゲートラインＧＬ（選択線）は行方向（横方向）に互いに平行となるように形成されている。薄膜トランジスタＴおよび画素電極Ｅｐは、ソースラインＳＬとゲートラインＧＬとが交差する各点に対応してそれぞれ形成されている。薄膜トランジスタＴのソース電極、ゲート電極およびドレイン電極は、それぞれ、ソースラインＳＬ、ゲートラインＧＬおよび画素電極Ｅｐに接続されている。また、画素電極Ｅｐは、共通電極（図示せず）との間に液晶容量を形成している。画素Ｐは、薄膜トランジスタＴ、画素電極Ｅｐ、共通電極および液晶容量によって構成されている。
【００２１】
これにより、ゲートラインＧＬに供給されるゲート信号によって薄膜トランジスタＴのゲートがオンし、ソースラインＳＬからのソース信号（画素信号）が画素電極Ｅｐに書き込まれると、画素電極Ｅｐにソース信号に応じた電位が付与される。この結果、画素電極Ｅｐと共通電極との間にソース信号に応じた電圧が印加されることによって液晶分子の姿勢を制御することで、ソース信号に応じた階調表示を実現することができる。
【００２２】
上記のように構成される液晶表示パネル１は、表示部４に設けられた複数の画素Ｐにソース信号が選択的に供給されるように、表示駆動装置を構成するソースドライバ５およびゲートドライバ６によって駆動される。また、制御回路３は、ソースドライバ５およびゲートドライバ６に、液晶表示パネル１の駆動に必要な各種の制御信号を供給する。
【００２３】
ソースドライバ５は、ソースラインＳＬのそれぞれに対してソース信号を出力する。このソース信号は、液晶表示装置１００の外部から制御回路３を介してソースドライバ５に供給された画像信号を、ソースドライバ５において各列に割り当て、昇圧等を施した信号である。
【００２４】
ゲートドライバ６は、アクティブにするゲートラインＧＬを線順次で選択するためのゲート信号（選択信号）を出力する。ゲートドライバ６は、制御回路３から供給されたスタートパルスを次段に順次転送することにより、各段のゲートラインＧＬにタイミングのずれたゲート信号を出力する。
【００２５】
ゲートドライバ６は、上記のゲート信号を出力するために、複数の同じ構成の選択回路（図示せず）を有している。選択回路は、複数のゲートラインＧＬのそれぞれに接続された複数の画素Ｐにソース信号を与えるために、各ゲートラインＧＬを選択するゲート信号を出力するようにゲートラインＧＬごとに設けられている。各選択回路には、ゲート信号を出力するタイミングを生成するために、互いに位相がずれたクロック信号ＣＫ１〜ＣＫ４が供給される。
【００２６】
上記のクロック信号ＣＫ１〜ＣＫ４、スタートパルスなどの各種の制御信号は、制御回路３から供給される。
【００２７】
ここで、ヘッドマウントディスプレイ５００におけるユーザ（視認者）の画像の視認状態について説明する。
【００２８】
図４は、液晶表示装置１００の液晶表示パネル１における、ユーザが水平方向に良好に視認できる第１視認領域１１と、視認者が水平方向に視認できない左端側非視認領域１２および右端側非視認領域１３とを示す図である。図５は、液晶表示パネル１における、ユーザが鉛直方向に視認できる第２視認領域１４と、ユーザが鉛直方向に視認できない上端側非視認領域１５および下端側非視認領域１６とを示す図である。
【００２９】
図４に示すように、液晶表示パネル１は、第１視認領域１１（画像視認領域）と、左端側非視認領域１２（画像非視認領域）と、右端側非視認領域１３（画像非視認領域）とに区分される。左端側非視認領域１２は第１視認領域１１の左側にあり、右端側非視認領域１３は第１視認領域１１の右側にある。
【００３０】
また、図５に示すように、液晶表示パネル１は、第２視認領域１４（画像視認領域）と、上端側非視認領域１５（画像非視認領域）と、下端側非視認領域１６（画像非視認領域）とに区分される。上端側非視認領域１５は第２視認領域１４の上側にあり、下端側非視認領域１６は第２視認領域１４の下側にある。
【００３１】
ユーザがヘッドマウントディスプレイ５００を装着した状態では、表示装置５０１（液晶表示装置１００）と目との間の距離が短く、かつユーザの視線がほとんど真正面に向く。また、前述のように、一般に、人間の目は、明瞭に見ることができる視野が限られている。両目についての当該視野は、図４に示すように水平方向に１２０°の範囲であり、図５に示すように鉛直方向に７０°の範囲である。このため、ユーザは、表示装置５０１における水平方向および垂直方向の端部に表示される画像が高画質でも実感できない。
【００３２】
具体的には、図４に示すように、液晶表示パネル１において、第１視認領域１１に表示される画像はユーザに良く視認され、左端側非視認領域１２および右端側非視認領域１３に表示される画像は、ユーザの視野外にあるため、ユーザにほとんど視認されない。また、図５に示すように、液晶表示パネル１において、第２視認領域１４に表示される画像はユーザに良く視認され、上端側非視認領域１５および下端側非視認領域１６に表示される画像は、ユーザの視野外にあるためユーザにほとんど視認されない。
【００３３】
したがって、ヘッドマウントディスプレイ５００に表示装置５０１として搭載される液晶表示装置１００において、液晶表示パネル１の周囲部（各非視認領域１２，１３，１５，１６）については、高解像度および高周波数駆動の必要性が低いと言える。また、無線化されたヘッドマウントディスプレイ５００は、電池駆動が必要であるので、消費電力を削減することが好ましい。したがって、液晶表示パネル１の周囲部の駆動方式を液晶表示パネル１の中心部（各視認領域１１，１４）と異ならせることによって、消費電力の抑制が期待できる。
【００３４】
本実施形態では、ソースドライバ５において、液晶表示パネル１の周囲部の駆動方式を液晶表示パネル１の中心部と異ならせる構成について説明する。
【００３５】
図６の（ａ）は、液晶表示パネル１における左端側非視認領域１２および右端側非視認領域１３にソース信号を供給する、ソースドライバ５の出力回路３１の構成を示す回路図である。図６の（ｂ）は、液晶表示パネル１における上記第１視認領域にソース信号を供給する、ソースドライバ５の出力回路３２の構成を示す回路図である。
【００３６】
図６の（ａ）に示すように、出力回路３１は、上記の左端側非視認領域１２および右端側非視認領域１３に配置されたソースラインＳＬにソース信号を供給する回路であって、ソースドライバ５の出力段に設けられている。この回路は、アンプＡＭＰ１１，ＡＭＰ１２，ＡＭＰ２１，ＡＭＰ２２と、スイッチＳＷ１１０，ＳＷ１１１，ＳＷ１２０，ＳＷ１２１，ＳＷ２１０，ＳＷ２１１，ＳＷ２２０，ＳＷ２２１とを備えている。
【００３７】
アンプＡＭＰ１１，ＡＭＰ１２，ＡＭＰ２１，ＡＭＰ２２は、それぞれ対応するソースラインＳＬに出力するソース信号を増幅する増幅回路である。アンプＡＭＰ１１，ＡＭＰ１２，ＡＭＰ２１，ＡＭＰ２２は、ＴＦＴを用いて構成される。
【００３８】
アンプＡＭＰ１１，ＡＭＰ１２は、ＯＮ状態のとき、極性を変えずにソース信号を出力する。アンプＡＭＰ１１，ＡＭＰ１２は、ＯＮするアンプ制御信号Ａｍｐ＋が与えられることによってＯＮ状態となり、ＯＦＦするアンプ制御信号Ａｍｐ＋が与えられることによってＯＦＦ状態となる。
【００３９】
アンプＡＭＰ２１，ＡＭＰ２２は、ＯＮ状態のとき、極性を反転させてソース信号を出力する。アンプＡＭＰ２１，ＡＭＰ２２は、ＯＮするアンプ制御信号Ａｍｐ−が与えられることによってＯＮ状態となり、ＯＦＦするアンプ制御信号Ａｍｐ−が与えられることによってＯＦＦ状態となる。
【００４０】
スイッチＳＷ１１０，ＳＷ１１１，ＳＷ１２０，ＳＷ１２１，ＳＷ２１０，ＳＷ２１１，ＳＷ２２０，ＳＷ２２１は、開閉スイッチである。スイッチＳＷ１１０，ＳＷ１１１，ＳＷ１２０，ＳＷ１２１，ＳＷ２１０，ＳＷ２１１，ＳＷ２２０，ＳＷ２２１は、ＴＦＴによって構成される。
【００４１】
スイッチＳＷ１１０は、アンプＡＭＰ１１の出力端とソースラインＳＬｍ１との間に設けられている。スイッチＳＷ１１１は、アンプＡＭＰ１１の出力端とソースラインＳＬｍ２との間に設けられている。スイッチＳＷ２１０は、アンプＡＭＰ２１の出力端とソースラインＳＬｍ２との間に設けられている。スイッチＳＷ２１１は、アンプＡＭＰ２１の出力端とソースラインＳＬｍ１との間に設けられている。
【００４２】
スイッチＳＷ１２０は、アンプＡＭＰ１２の出力端とソースラインＳＬｍ３との間に設けられている。スイッチＳＷ１２１は、アンプＡＭＰ１２の出力端とソースラインＳＬｍ４との間に設けられている。スイッチＳＷ２２０は、アンプＡＭＰ２２の出力端とソースラインＳＬｍ４との間に設けられている。スイッチＳＷ２２１は、アンプＡＭＰ２２の出力端とソースラインＳＬｍ３との間に設けられている。
【００４３】
ソースラインＳＬの駆動時、あるフレームでは、図６の（ａ）に示すように、アンプＡＭＰ１１，ＡＭＰ２２がＯＮし、アンプＡＭＰ１２，ＡＭＰ２１がＯＦＦしている。また、出力回路３１において、スイッチＳＷ１１０，ＳＷ１１１（信号経路），ＳＷ２２０，ＳＷ２２１（信号経路）が閉じ、スイッチＳＷ１２０，ＳＷ１２１，ＳＷ２１０，ＳＷ２１１が開くように制御される。これにより、図６の（ａ）に示すように、ソースラインＳＬｍ１（第１信号線），ＳＬｍ２（第２信号線）には正極性のソース信号が同時に出力され、ソースラインＳＬｍ３（第２信号線），ＳＬｍ４（第１信号線）には負極性のソース信号が同時に出力される。
【００４４】
次のフレームでは、アンプＡＭＰ１１，ＡＭＰ２２がＯＦＦし、アンプＡＭＰ１２，ＡＭＰ２１がＯＮしている。また、出力回路３１において、スイッチＳＷ１１０，ＳＷ１１１，ＳＷ２２０，ＳＷ２２１が開き、スイッチＳＷ１２０，ＳＷ１２１（信号経路），ＳＷ２１０，ＳＷ２１１（信号経路）が閉じるように制御される。これにより、ソースラインＳＬｍ１，ＳＬｍ２には負極性のソース信号が同時に出力され、ソースラインＳＬｍ３，ＳＬｍ４には正極性のソース信号が同時に出力される。
【００４５】
このようにして、スイッチＳＷ１１０，ＳＷ１１１，ＳＷ１２０，ＳＷ１２１，ＳＷ２１０，ＳＷ２１１，ＳＷ２２０，ＳＷ２２１の開閉がフレームごとに切り替えられることにより、フレーム反転駆動が行われる。
【００４６】
スイッチＳＷ１１０，ＳＷ１１１，ＳＷ１２０，ＳＷ１２１，ＳＷ２１０，ＳＷ２１１，ＳＷ２２０，ＳＷ２２１に与えられる信号は、制御回路３から供給される。
【００４７】
このような出力回路３１においては、１つのアンプＡＭＰ１１またはアンプＡＭＰ２１が２つのソースラインＳＬｍ１，ＳＬｍ２を駆動するとともに、１つのアンプＡＭＰ２２またはアンプＡＭＰ１２が２つのソースラインＳＬｍ３，ＳＬｍ４を駆動する。これにより、１つのアンプＡＭＰから出力されたソース信号により、２つのソースラインＳＬと選択された１つのゲートラインＧＬとに接続された２つの画素Ｐを同時に充電することができる。したがって、後述する図６の（ｂ）に示す出力回路３２と比べて充電回数を１／２にすることができる。よって、消費電力を削減することが可能となる。
【００４８】
図６の（ｂ）に示すように、出力回路３２は、上記の第１視認領域１１に配置されたソースラインＳＬにソース信号を供給する回路であって、ソースドライバ５の出力段に設けられている。この出力回路３２は、アンプＡＭＰ３１，ＡＭＰ３２，ＡＭＰ４１，ＡＭＰ４２と、スイッチＳＷ３１０，ＳＷ３１１，ＳＷ３２０，ＳＷ３２１，ＳＷ４１０，ＳＷ４１１，ＳＷ４２０，ＳＷ４２１とを備えている。
【００４９】
アンプＡＭＰ３１，ＡＭＰ３２，ＡＭＰ４１，ＡＭＰ４２は、それぞれ対応するソースラインＳＬに出力するソース信号を増幅する増幅回路である。アンプＡＭＰ３１，ＡＭＰ３２，ＡＭＰ４１，ＡＭＰ４２は、ＴＦＴを用いて構成されている。
【００５０】
アンプＡＭＰ３１，ＡＭＰ３２は、ＯＮ状態のとき、極性を変えずにソース信号を出力する。アンプＡＭＰ３１，ＡＭＰ３２は、ＯＮするアンプ制御信号Ａｍｐ＋が与えられることによってＯＮ状態となり、ＯＦＦするアンプ制御信号Ａｍｐ＋が与えられることによってＯＦＦ状態となる。
【００５１】
アンプＡＭＰ４１，ＡＭＰ４２は、ＯＮ状態のとき、極性を反転させてソース信号を出力する。アンプＡＭＰ４１，ＡＭＰ４２は、ＯＮするアンプ制御信号Ａｍｐ−が与えられることによってＯＮ状態となり、ＯＦＦするアンプ制御信号Ａｍｐ−が与えられることによってＯＦＦ状態となる。
【００５２】
スイッチＳＷ３１０，ＳＷ３１１，ＳＷ３２０，ＳＷ３２１，ＳＷ４１０，ＳＷ４１１，ＳＷ４２０，ＳＷ４２１は、開閉スイッチである。スイッチＳＷ３１０，ＳＷ３１１，ＳＷ３２０，ＳＷ３２１，ＳＷ４１０，ＳＷ４１１，ＳＷ４２０，ＳＷ４２１は、ＴＦＴによって構成される。
【００５３】
スイッチＳＷ３１０は、アンプＡＭＰ３１の出力端とソースラインＳＬｍ１１との間に設けられている。スイッチＳＷ３１１は、アンプＡＭＰ３１の出力端とソースラインＳＬｍ１２との間に設けられている。スイッチＳＷ４１０は、アンプＡＭＰ４１の出力端とソースラインＳＬｍ１２との間に設けられている。スイッチＳＷ４１１は、アンプＡＭＰ４１の出力端とソースラインＳＬｍ１１との間に設けられている。
【００５４】
スイッチＳＷ３２０は、アンプＡＭＰ３２の出力端とソースラインＳＬｍ１３との間に設けられている。スイッチＳＷ３２１は、アンプＡＭＰ３２の出力端とソースラインＳＬｍ１４との間に設けられている。スイッチＳＷ４２０は、アンプＡＭＰ４２の出力端とソースラインＳＬｍ１４との間に設けられている。スイッチＳＷ４２１は、アンプＡＭＰ４２の出力端とソースラインＳＬｍ１３との間に設けられている。
【００５５】
ソースラインＳＬの駆動時、あるフレームでは、アンプＡＭＰ３２，ＡＭＰ３２，ＡＭＰ４１，ＡＭＰ４２がＯＮしている。また、出力回路３２において、スイッチＳＷ３１０，ＳＷ３２０，ＳＷ４１０，ＳＷ４２０が閉じ、スイッチＳＷ３１１，ＳＷ３２１，ＳＷ４１１，ＳＷ４２１が開くように制御される。これにより、図６の（ｂ）に示すように、ソースラインＳＬｍ１１，ＳＬｍ１３には正極性のソース信号が個別に出力され、ソースラインＳＬｍ１２，ＳＬｍ１４には負極性のソース信号が個別に出力される。
【００５６】
次のフレームでは、前のフレームと同じくアンプＡＭＰ３２，ＡＭＰ３２，ＡＭＰ４１，ＡＭＰ４２がＯＮしている。また、出力回路３２において、スイッチＳＷ３１０，ＳＷ３２０，ＳＷ４１０，ＳＷ４２０が開き、スイッチＳＷ３１１，ＳＷ３２１，ＳＷ４１１，ＳＷ４２１が閉じるように制御される。これにより、ソースラインＳＬｍ１１，ＳＬｍ１３には負極性のソース信号が個別に出力され、ソースラインＳＬｍ１２，ＳＬｍ１４には正極性のソース信号が個別に出力される。
【００５７】
このようにして、スイッチＳＷ３１０，ＳＷ３１１，ＳＷ３２０，ＳＷ３２１，ＳＷ４１０，ＳＷ４１１，ＳＷ４２０，ＳＷ４２１の開閉がフレームごとに切り替えられることにより、フレーム反転駆動が行われる。
【００５８】
スイッチＳＷ３１０，ＳＷ３１１，ＳＷ３２０，ＳＷ３２１，ＳＷ４１０，ＳＷ４１１，ＳＷ４２０，ＳＷ４２１に与えられる信号は、制御回路３から供給される。
【００５９】
このような出力回路３２においては、１つのアンプＡＭＰ３１，ＡＭＰ３２，ＡＭＰ４１，ＡＭＰ４２が、それぞれ１つのソースラインＳＬｍ１１，ＳＬｍ１２，ＳＬｍ１３，ＳＬｍ１４を駆動する。
【００６０】
以上のように、本実施形態の液晶表示装置１００におけるソースドライバ５は、出力回路３１を備えている。これにより、液晶表示パネル１における左端側非視認領域１２および右端側非視認領域１３を駆動する駆動頻度を、第１視認領域１１を駆動する駆動頻度よりも低下させている。それゆえ、ソースドライバ５の動作によって生じる電力消費を削減することができる。したがって、液晶表示装置１００の省電力化を図ることができる。
【００６１】
なお、本実施形態では、表示装置として液晶表示装置１００を例に挙げて説明した。ただし、本発明の態様は、上述のようにマトリクス状に配置された画素Ｐを、画素信号を与えるために線順次に選択する駆動方法を用いる表示装置であれば、他の表示装置であっても適用が可能である。
【００６２】
〈変形例〉
引き続き、本実施形態の変形例について説明する。
【００６３】
図７の（ａ）は、実施形態１の変形例に係る出力回路３３のあるフレームにおける状態を示す回路図である。図７の（ｂ）は、出力回路３３の次のフレームにおける状態を示す回路図である。
【００６４】
出力回路３３は、上記の左端側非視認領域１２および右端側非視認領域１３に配置されたソースラインＳＬにソース信号を供給する回路である。出力回路３３は、図７の（ａ）に示すように、ソースドライバ５の出力段に設けられており、アンプＡＭＰ１１，ＡＭＰ２２と、スイッチＳＷ１１０，ＳＷ１１１，ＳＷ１２０，ＳＷ１２１，ＳＷ２１０，ＳＷ２１１，ＳＷ２２０，ＳＷ２２１とを備えている。
【００６５】
スイッチＳＷ１１０は、図６の（ａ）に示す回路におけるスイッチＳＷ１１０と同様、アンプＡＭＰ１１の出力端とソースラインＳＬｍ１との間に設けられている。スイッチＳＷ１１１は、図６の（ａ）に示す回路におけるスイッチＳＷ１１１と同様、アンプＡＭＰ１１の出力端とソースラインＳＬｍ２との間に設けられている。スイッチＳＷ２１０は、アンプＡＭＰ２２の出力端とソースラインＳＬｍ２との間に設けられている。スイッチＳＷ２１１は、アンプＡＭＰ２２の出力端とソースラインＳＬｍ１との間に設けられている。
【００６６】
スイッチＳＷ１２０は、アンプＡＭＰ１１の出力端とソースラインＳＬｍ３との間に設けられている。スイッチＳＷ１２１は、アンプＡＭＰ１１の出力端とソースラインＳＬｍ４との間に設けられている。スイッチＳＷ２２０は、図６の（ａ）に示す回路におけるスイッチＳＷ２２０と同様、アンプＡＭＰ２２の出力端とソースラインＳＬｍ４との間に設けられている。スイッチＳＷ２２１は、図６の（ａ）に示す回路におけるスイッチＳＷ２２１と同様、アンプＡＭＰ２２の出力端とソースラインＳＬｍ３との間に設けられている。
【００６７】
ソースラインＳＬの駆動時、あるフレームでは、図７の（ａ）に示すように、アンプＡＭＰ１１，ＡＭＰ２２がＯＮしている。また、出力回路３３において、スイッチＳＷ１１０，ＳＷ１１１，ＳＷ２２０，ＳＷ２２１が閉じ、スイッチＳＷ１２０，ＳＷ１２１，ＳＷ２１０，ＳＷ２１１が開くように制御される。これにより、ソースラインＳＬｍ１，ＳＬｍ２には正極性のソース信号が出力され、ソースラインＳＬｍ３，ＳＬｍ４には負極性のソース信号が出力される。
【００６８】
次のフレームでは、図７の（ｂ）に示すように、前のフレームと同じくアンプＡＭＰ１１，ＡＭＰ２２がＯＮしている。また、出力回路３３において、スイッチＳＷ１１０，ＳＷ１１１，ＳＷ２２０，ＳＷ２２１が開き、スイッチＳＷ１２０，ＳＷ１２１，ＳＷ２１０，ＳＷ２１１が閉じるように制御される。これにより、ソースラインＳＬｍ１，ＳＬｍ２には負極性のソース信号が出力され、ソースラインＳＬｍ３，ＳＬｍ４には正極性のソース信号が出力される。
【００６９】
このようにして、スイッチＳＷ１１０，ＳＷ１１１，ＳＷ１２０，ＳＷ１２１，ＳＷ２１０，ＳＷ２１１，ＳＷ２２０，ＳＷ２２１の開閉がフレームごとに切り替えられることにより、フレーム反転駆動が行われる。
【００７０】
出力回路３３は、上述の出力回路３１と比べて、アンプＡＭＰ１２，ＡＭＰ２１を備えていない。これにより、出力回路３３の回路構成を簡素にすることができる。
【００７１】
〔実施形態２〕
本発明の実施形態２について図１、図２、図５、図８および図９に基づいて説明すれば、以下の通りである。なお、説明の便宜上、実施形態１にて説明した構成要素と同じ機能を有する構成要素については、同じ符号を付記し、その説明を省略する。
【００７２】
実施形態１では、ソースドライバ５が左端側非視認領域１２および右端側非視認領域１３に同じソース信号を供給する構成について説明した。これに対し、本実施形態では、ゲートドライバ６が上端側非視認領域１５および下端側非視認領域１６に同じゲート信号を供給する構成について説明する。
【００７３】
図８は、本実施形態に係る液晶表示装置１００のゲートドライバ６の動作を示すタイミングチャートである。図９は、本実施形態に係る比較例の一般的な液晶表示装置のゲートドライバの動作を示すタイミングチャートである。
【００７４】
図２に示す本実施形態の液晶表示装置１００も、実施形態１の液晶表示装置１００と同様、図１に示すヘッドマウントディスプレイ５００に搭載される。
【００７５】
図２に示すゲートドライバ６において、図５に示す上端側非視認領域１５および下端側非視認領域１６のゲートラインＧＬにゲート信号を供給する選択回路は、これらのゲートラインＧＬに同じタイミング（位相）のゲート信号を出力する。これらの選択回路は、同じタイミングのゲート信号を出力するために、同じタイミングの制御信号が入力される。
【００７６】
また、ゲートドライバ６において、図５に示す第２視認領域１４のゲートラインＧＬにゲート信号を供給する各選択回路は、前の選択回路から出力されるゲート信号よりも１パルスずつ遅れるタイミングでゲート信号を出力する。
【００７７】
これにより、図８に示すように、垂直同期信号Ｖで規定される１垂直同期期間において、上端側非視認領域１５および下端側非視認領域１６の隣接する２本のゲートラインＧＬｎ，ＧＬｎ＋１に、それぞれ同じタイミングのゲート信号Ｇｎ，Ｇｎ＋１が供給される。また、上端側非視認領域１５および下端側非視認領域１６の他の隣接する２本のゲートラインＧＬｎ＋２，ＧＬｎ＋３に、それぞれ同じタイミングのゲート信号Ｇｎ＋２，Ｇｎ＋３がゲート信号Ｇｎ，Ｇｎ＋１より１パルス遅れたタイミングで供給される。また、上端側非視認領域１５および下端側非視認領域１６の他の隣接する２本のゲートラインＧＬｎ＋４，ＧＬｎ＋５に、それぞれ同じタイミングのゲート信号Ｇｎ＋４，Ｇｎ＋５がゲート信号Ｇｎ＋２，Ｇｎ＋３より１パルス遅れたタイミングで供給される。さらに、上端側非視認領域１５および下端側非視認領域１６の他の隣接する２本のゲートラインＧＬｎ＋６，ＧＬｎ＋７に、それぞれ同じタイミングのゲート信号Ｇｎ＋６，Ｇｎ＋７がゲート信号Ｇｎ＋４，Ｇｎ＋５より１パルス遅れたタイミングで供給される。
【００７８】
これに対し、一般的な液晶表示装置におけるゲートドライバでは、上端側非視認領域１５および下端側非視認領域１６のゲートラインＧＬにゲート信号を供給する選択回路も、前の選択回路から出力されるゲート信号よりも１パルスずつ遅れるタイミングでゲート信号を出力する。これにより、図９に示すように、１垂直同期期間において、上端側非視認領域１５および下端側非視認領域１６において隣接する４本のゲートラインＧＬｎ〜Ｇｎ＋３に、それぞれ１パルスずつ遅れていくタイミングのゲート信号Ｇｎ〜Ｇｎ＋３が供給される。
【００７９】
このように、本実施形態のゲートドライバ６は、上端側非視認領域１５および下端側非視認領域１６の隣接する２本のゲートラインＧＬに同じタイミングのゲート信号を出力する。これにより、上端側非視認領域１５および下端側非視認領域１６においてゲート信号が各ゲートラインＧＬに対して切り替わる回数（駆動頻度）が、従来のゲートドライバによる同回数と比べて１／２に減少する。それゆえ、制御回路３における制御信号のデータ数を削減することができる。したがって、液晶表示装置１００の消費電力を削減することが可能となる。
【００８０】
なお、本実施形態の構成は、前述の実施形態１の構成と組み合わせてもよい。本実施形態の構成と、実施形態１の構成とを組み合わせることにより、より消費電力を削減する効果を高めることができる。
【００８１】
〔実施形態３〕
本発明の実施形態３について図１、図２、図５および図１０に基づいて説明すれば、以下の通りである。なお、説明の便宜上、実施形態１および２にて説明した構成要素と同じ機能を有する構成要素については、同じ符号を付記し、その説明を省略する。
【００８２】
実施形態１では、ソースドライバ５が左端側非視認領域１２および右端側非視認領域１３に同じソース信号を供給する構成について説明した。これに対し、本実施形態でも、ゲートドライバ６が上端側非視認領域１５および下端側非視認領域１６に供給するゲート信号を間引いて供給する構成について説明する。
【００８３】
図１０の（ａ）は、本実施形態に係る液晶表示装置１００のゲートドライバ６のあるフレームにおける動作を示すタイミングチャートである。図１０の（ｂ）は、ゲートドライバ６の上記フレームの次のフレームにおける動作を示すタイミングチャートである。
【００８４】
図２に示す本実施形態の液晶表示装置１００も、実施形態１の液晶表示装置１００と同様、図１に示すヘッドマウントディスプレイ５００に搭載される。
【００８５】
図２に示すゲートドライバ６は、あるフレームを表示するときに、図５に示す上端側非視認領域１５および下端側非視認領域１６のゲートラインＧＬにゲート信号を供給し、その次のフレームを表示するときに、同じゲートラインＧＬにゲート信号を供給しない。また、ゲートドライバ６は、全てのフレームを表示するときに、図５に示す第２視認領域１４のゲートラインＧＬにゲート信号を供給する。
【００８６】
これにより、図１０の（ａ）に示すように、垂直同期信号Ｖで規定される１垂直同期期間（あるフレーム）において、ゲートドライバ６は、全てのゲートラインＧＬ１〜ＧＬＮに、１パルスずつ遅れたタイミング（１２０Ｈｚの周波数）でゲート信号Ｇ１〜ＧＮを出力する。また、図１０の（ｂ）に示すように、上記のフレームの次のフレームにおいて、ゲートドライバ６は、上端側非視認領域１５および下端側非視認領域１６のゲートラインＧＬ１〜ＧＬ４，ＧＬＮ−３〜ＧＬＮにそれぞれゲート信号Ｇ１〜Ｇ４，ＧＮ−３〜ＧＮを供給せず、第２視認領域１４のゲートラインＧＬ５〜ＧＬＮ−４にそれぞれゲート信号Ｇ５〜ＧＮ−４を供給する。
【００８７】
このように、ゲートドライバ６は、隣接する２つのフレームにおいて、上記のように、ゲートラインＧＬ１〜ＧＬ４，ＧＬＮ−３〜ＧＬＮへのゲート信号Ｇ１〜Ｇ４，ＧＮ−３〜ＧＮの供給および供給停止を交互に行うことを、繰り返す。また、ゲートドライバ６は、上記のように、ゲートラインＧＬ５〜ＧＬＮ−４に対してそれぞれゲート信号Ｇ５〜ＧＮ−４を常に供給する。それゆえ、ゲートドライバ６は、第２視認領域１４のゲートラインＧＬ５〜ＧＬＮ−４に対しては、規定の周波数（例えば１２０Ｈｚ）でゲート信号Ｇ５〜ＧＮ−４を供給する。また、ゲートドライバ６は、上端側非視認領域１５および下端側非視認領域１６のゲートラインＧＬ１〜ＧＬ４，ＧＬＮ−３〜ＧＬＮに対しては、規定の半分の周波数（例えば６０Ｈｚ）でゲート信号Ｇ１〜Ｇ４，ＧＮ−３〜ＧＮを供給する。したがって、上端側非視認領域１５および下端側非視認領域１６におけるゲートドライバ６の駆動周波数を低下させることにより、駆動頻度が低減する。よって、ゲートドライバ６の消費電力、延いては液晶表示装置１００の消費電力を削減することができる。
【００８８】
なお、上端側非視認領域１５および下端側非視認領域１６に対するゲートドライバ６の駆動周波数は、上記のように規定の半分の周波数に限らず、例えば規定の３／４（例えば９０Ｈｚ）であってもよい。換言すれば、ゲートドライバ６は、上端側非視認領域１５および下端側非視認領域１６におけるゲートラインＧＬを複数フレーム周期で選択しない。
【００８９】
なお、本実施形態の構成は、前述の実施形態１の構成と組み合わせてもよい。本実施形態の構成と、実施形態１の構成とを組み合わせることにより、より消費電力を削減する効果を高めることができる。
【００９０】
〔まとめ〕
本発明の態様１に係る表示駆動装置は、表示部４に設けられた複数の画素Ｐに画素信号を選択的に供給するように前記表示部４を駆動する駆動回路（ソースドライバ５，ゲートドライバ６）を備え、前記表示部４が、表示する画像が視認者に視認できない画像非視認領域（左端側非視認領域１２，右端側非視認領域１３，上端側非視認領域１５，下端側非視認領域１６）と、表示する画像が視認者に視認できる画像視認領域（第１視認領域１１，第２視認領域１４）とを有し、前記駆動回路が、前記画像非視認領域を駆動する駆動頻度を、前記画像視認領域を駆動する駆動頻度よりも低下させる。
【００９１】
上記の構成によれば、画像非視認領域に対する駆動頻度を画像視認領域に対する駆動頻度よりも低下させるので、駆動回路の動作によって生じる電力消費を削減することができる。したがって、表示駆動装置の省電力化を図ることができる。
【００９２】
本発明の態様２に係る表示駆動装置は、上記態様１において、前記駆動回路が、前記表示部４に設けられた、前記画素が接続された複数の信号線（ソースラインＳＬｍ１〜ＳＬｍ４）に前記画素信号を供給する信号供給回路（ソースドライバ５）であり、前記画像非視認領域（左端側非視認領域１２，右端側非視認領域１３）における複数の前記信号線に同じ前記画素信号を同時に供給し、前記画像視認領域における前記信号線に前記画像に応じた前記画素信号を個別に供給してもよい。
【００９３】
上記の構成によれば、画像非視認領域の複数の信号線に同じ画素信号を同時に供給することで、当該信号線に画素信号を供給する回数を、画像視認領域における各信号線に画像に応じた画素信号を個別に供給する回数よりも削減できる。これにより、画像非視認領域に対する駆動頻度が画像視認領域に対する駆動頻度よりも低下する。それゆえ、信号供給回路の動作によって生じる電力消費を削減することができる。したがって、表示駆動装置の省電力化を図ることができる。
【００９４】
本発明の態様３に係る表示駆動装置は、上記態様２において、前記信号供給回路が、隣接する２つの前記信号線である第１信号線および第２信号線について、前記第１信号線に供給される前記画素信号を前記第２信号線にも供給する信号経路を有していてもよい。
【００９５】
上記の構成によれば、画像非視認領域の複数の信号線に同じ前記画素信号を同時に供給することが可能となる。
【００９６】
本発明の態様４に係る表示駆動装置は、上記態様１から３のいずれかにおいて、前記駆動回路が、前記表示部４に設けられた、前記画素信号を供給する複数の信号線のそれぞれに接続された複数の前記画素Ｐのうち前記画素信号を与える前記画素Ｐを、各信号線に接続された前記画素Ｐが接続された選択線（ゲートラインＧＬｎ，ＧＬｎ＋１，…）に選択信号を供給することにより選択する画素選択回路（ゲートドライバ６）であり、前記画像非視認領域（上端側非視認領域１５，下端側非視認領域１６）における複数の前記選択線に接続された前記画素Ｐを同時に選択し、前記画像視認領域（第２視認領域１４）における各選択線に接続された前記画素Ｐを線順次に選択してもよい。
【００９７】
上記の構成によれば、画像非視認領域における複数の選択線に接続された画素を同時に選択することで、当該選択線に選択信号を供給する回数を、画像視認領域における各選択線に画素を線順次に選択する選択信号を選択線ごとに供給する回数よりも削減できる。これにより、画像非視認領域に対する駆動頻度が画像視認領域に対する駆動頻度よりも低下する。それゆえ、画素選択回路の動作によって生じる電力消費を削減することができる。したがって、表示駆動装置の省電力化を図ることができる。
【００９８】
本発明の態様５に係る表示駆動装置は、上記態様１から３のいずれかにおいて、前記駆動回路が、前記表示部４に設けられた、前記画素信号を供給する複数の信号線のそれぞれに接続された複数の前記画素Ｐのうち前記画素信号を与える前記画素Ｐを、各信号線に接続された前記画素Ｐが接続された選択線（ゲートラインＧＬｎ，ＧＬｎ＋１）に選択信号を供給することにより選択する画素選択回路（ゲートドライバ６）であり、前記画像非視認領域（上端側非視認領域１５，下端側非視認領域１６）における複数の前記選択線に接続された前記画素を複数フレーム周期で選択せず、前記画像視認領域（第２視認領域１４）における各選択線に接続された前記画素Ｐを各フレームで選択してもよい。
【００９９】
上記の構成によれば、画像非視認領域における複数の選択線に接続された画素の選択を複数フレーム周期で行わないことで、当該選択線に選択信号を供給する回数を、画像視認領域における各選択線に画素を線順次に選択する選択信号を選択線ごとに供給する回数よりも削減できる。これにより、画像非視認領域に対する駆動頻度が画像視認領域に対する駆動頻度よりも低下する。それゆえ、画素選択回路の動作によって生じる電力消費を削減することができる。したがって、表示駆動装置の省電力化を図ることができる。
【０１００】
本発明の態様６に係る表示装置は、態様１から５のいずれかの表示駆動装置と、前記複数の画素Ｐを有する表示部４とを備えている。
【０１０１】
本発明の態様７に係る表示装置は、態様６において、前記表示装置を視認者の頭部に装着させる装着部をさらに備え、前記表示部４が視認者によって視認される画像を表示してもよい。
【０１０２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０３】
４  表示部
５  ソースドライバ（表示駆動装置、駆動回路、信号供給回路）
６  ゲートドライバ（表示駆動装置、駆動回路、画素選択回路）
１１  第１視認領域（画像視認領域）
１２  左端側非視認領域（画像非視認領域）
１３  右端側非視認領域（画像非視認領域）
１４  第２視認領域（画像視認領域）
１５  上端側非視認領域（画像非視認領域）
１６  下端側非視認領域（画像非視認領域）
１００  液晶表示装置（表示装置）
５００  ヘッドマウントディスプレイ
５０２  固定バンド（装着部）
ＧＬｎ〜ＧＬｎ＋３  ゲートライン（選択線）
ＳＬｍ，ＳＬｍ＋１，ＳＬｍ１〜ＳＬｍ４，ＳＬｍ１１〜ＳＬｍ１４  ソースライン（信号線）
ＳＬｍ１，ＳＬｍ４  ソースライン（第１信号線）
ＳＬｍ２，ＳＬｍ３  ソースライン（第２信号線）
ＳＷ１１１，ＳＷ１２１，ＳＷ２１１，ＳＷ２２１，ＳＷ３１１，ＳＷ３２１，ＳＷ４１１，ＳＷ４２１  スイッチ（信号経路）
Ｐ  画素
【図１】
2019066770.tif 000003
【図２】
2019066770.tif 000004
【図３】
2019066770.tif 000005
【図４】
2019066770.tif 000006
【図５】
2019066770.tif 000007
【図６】
2019066770.tif 000008
【図７】
2019066770.tif 000009
【図８】
2019066770.tif 000010
【図９】
2019066770.tif 000011
【図１０】
2019066770.tif 000012